(57)【要約】      （修正有）【課題】飲料缶等からコップ等に注ぐ際の飛散や、直に口から飲む際の飲み残しがゼロに近い缶ビール、缶ジュース、その他の缶飲料等を提供する。【解決手段】缶ビール、缶ジュース等の注ぎ口の先端が、缶蓋の上縁の内側と接するようにする。【選択図】図２
2007168899.tif 000002
【特許請求の範囲】
【請求項１】
缶ビール、缶ジュース等において注ぎ口が缶蓋の縁と接するようにする為の缶本体及び缶蓋の開発
【発明の詳細な説明】
【技術分野】
【０００１】この発明は缶ビール、缶ジュース等において注ぎ口が縁と接することができるようにする為の缶本体及び缶蓋の開発の為のものである。
【発明の開示】
【発明が解決しようとする課題】
【０００２】  各家庭でビールを飲む時、現在は瓶ビールに取って代わって缶ビールが主体となっている。現在の缶ビール等では注ぎ口が缶蓋の縁から７ｍｍ前後、中央よりとなっているためにコップ等に注ぐ時、特に中身が少なくなるにつれて、飛散することが多々あり周囲のものを汚染してしまうことがあります。又、直に口から飲むときにはかなり無理をしないと少量の飲み残しが発生します。この飲み残しを放置しておくとハチなど有害な昆虫や病原菌などの発生あるいは悪臭など、衛生上にも悪影響を及ぼします。．
缶ビール、缶ジュース等の注ぎ口が缶蓋の縁と接することが出来るようにすれば問題は解決するのであるが、現在使用されている缶の構造では非常に困難で不可能に近い。そこで、缶ビール等の注ぎ口が缶蓋の縁と接することが容易にできるような缶本体及び缶蓋の開発を、問題解決の課題とした。
【課題を解決するための手段】
【０００３】現在使用されている缶ビール、缶ジュース等と違う構造の缶本体及び缶蓋の開発によって缶ビール、缶ジュース等の注ぎ口が缶蓋の縁と接することが出来るようにして、解決の手段とした。
【発明の効果】
【０００４】この新しい構造の缶ビール、缶ジュース等を利用することによって飛散による汚染や飲み残しが少なくなり環境衛生にも良い効果をもたらす。従来の缶ビール等の構造では注ぎ口を缶蓋の縁と接するようにするのは非常に困難で、産業としてはコスト的に不可能に近い。この新しい構造の缶ビール、缶ジュース等によって注ぎ口が缶蓋の縁と接することが容易となり、経済産業に貢献できる。又、全世界で利用される製品であり、その効果は計り知れないほど大きい。
【発明を実施するための最良の形態】
【０００５】図１は、従来の缶ビール、缶ジュース等である。図の中の６は注ぎ口の先端、５が缶蓋縁の内側である。５と６の間に溝１２と、溝の立ち上がり１３があるために注ぎ口６と缶蓋縁の内側５が接するようにして、缶を開けることは絶対ではないが実質的には不可能に近い。仮に、溝の立ち上がり１３に注ぎ口６の先端を持ってきても、缶内側と溝の間に飲み残しが出てしまい、又、溝自体にも少量の中身が溜まってしまいます。したがって、飲み残しや飛散をゼロにすることは不可能に近い。
図２の、新しい形態の缶ビール、缶ジュース等では、缶蓋の中央部を盛り上げることによって缶蓋の強度を増やし注ぎ口６の先端が缶蓋縁の内側５と接する構造とした。この構造によって缶の蓋開け部８を、従来よりも長くしてテコの原理により缶を開けるのが容易となるようにした。又、缶本体に溝２を設けることで、缶を開ける際の圧力を受け止め、缶自体の補強とした。この構造によって缶ビール、缶ジュース等からコップなどに注ぐ際の飛散や、直に口から飲む際の飲み残しがゼロに近くなる。
【産業上の利用可能性】
【０００６】従来の缶ビール、缶ジュース等の構造のままで、注ぎ口の先端が缶蓋の縁と接するようにするのは技術的に非常に困難でコスト的に見ても、産業上の利用は不可能に近い。この新しい構造の缶本体と缶蓋の結合によって、注ぎ口と缶蓋の縁が接する新しい構造の缶ビール、缶ジュース等となりコップ等に注ぐ際の飛散や飲み残しがゼロに近い飲料缶が容易に製造できることとなり、産業界の発展に多大な貢献をなすものである。又、飲料缶のみに限らず、缶を開けた際に少量でも残量があると困るような、危険な液体や、薬液等の容器としても利用可能であり、その効果は全世界に波及する。
【図面の簡単な説明】
【０００７】
【図１】従来の缶の側面図
【図２】新しい形態の缶の側面図
【図３】従来の缶の缶蓋の平面図
【図４】新しい形態の缶の缶蓋の平面図
【図５】新しい形態の缶本体と缶蓋の縁の接合部分の拡大図
【符号の説明】
【０００８】１は缶の外側
２は新しい形態の缶蓋を開ける際の新しい形態の圧力受け缶本体の溝
３は缶蓋の上縁
４は缶蓋の上縁外側
５は缶蓋の上縁内側
６は缶蓋の注ぎ口先端部
７は缶蓋
８は缶開け部
９は新しい形態の缶蓋の缶開け先端部
１０は缶蓋中央
１１は缶開けツマミ
１２は従来の缶蓋の縁溝
１３は従来の缶蓋の縁溝の立ち上がり
【図１】
2007168899.tif 000003
【図２】
2007168899.tif 000004
【図３】
2007168899.tif 000005
【図４】
2007168899.tif 000006
【図５】
2007168899.tif 000007
【手続補正書】
【提出日】平成18年3月9日(2006.3.9)
【手続補正１】
【補正対象書類名】明細書
【補正対象項目名】０００５
【補正方法】変更
【補正の内容】
【０００５】  図１は、従来の缶ビール、缶ジュース等である。図の中の６は注ぎ口の先端、５が缶蓋縁の内側である。５と６の間に溝１２と、溝の立ち上がり１３があるために注ぎ口６と缶蓋縁の内側５が接するようにして、缶を開けることは絶対ではないが実質的には不可能に近い。仮に、溝の立ち上がり１３に注ぎ口６の先端を持ってきても、缶内側と溝の間に飲み残しが出てしまい、又、溝自体にも少量の中身が溜まってしまいます。したがって、飲み残しや飛散をゼロにすることは不可能に近い。
図２の、新しい形態の缶ビール、缶ジュース等では、缶蓋の中央部を盛り上げることによって缶蓋の強度を増やし注ぎ口６の先端が缶蓋縁の内側５と接する構造とした。この構造によって缶の蓋開け部８を、従来よりも長くしてテコの原理により缶を開けるのが容易となるようにした。又、缶本体に溝２を設けることで、缶を開ける際の圧力を受け止め、缶自体の補強とした。尚、缶開け部８と缶開け先端部９の形態、及び缶蓋の上縁内側５と缶蓋の注ぎ口先端部６との接点の度合いの形態、及び缶蓋中央部の盛り上がり度合いの形態は、製造者の任意とする。この構造によって缶ビール、缶ジュース等からコップなどに注ぐ際の飛散や、直に口から飲む際の飲み残しが、ほとんどゼロになる。
【手続補正２】
【補正対象書類名】明細書
【補正対象項目名】０００６
【補正方法】変更
【補正の内容】
【０００６】  従来の缶ビール、缶ジュース等の構造のままで、注ぎ口の先端が缶蓋の縁と接するようにするのは技術的に非常に困難でコスト的に見ても、産業上の利用は不可能に近い。この新しい構造の缶本体と缶蓋の結合によって、注ぎ口と缶蓋の縁が接する新しい構造の缶ビール、缶ジュース等となりコップ等に注ぐ際の飛散や飲み残しが、ほとんどゼロになる飲料缶が容易に製造できることとなり、産業界の発展に多大な貢献をなすものである。又、飲料缶のみに限らず、マグロの缶詰等の食料缶、あるいは缶を開けた際に少量でも残量があると困るような、危険な液体や、薬液等の容器としても利用可能であり、その効果は全世界に波及する。
【手続補正書】
【提出日】平成18年7月31日(2006.7.31)
【手続補正１】
【補正対象書類名】特許請求の範囲
【補正対象項目名】請求項１
【補正方法】変更
【補正の内容】
【請求項１】
缶ビール、缶ジュース等の缶容器において、注ぎ口が容器部上縁内側および蓋部の縁と接する構造の缶容器。従来の缶容器は開缶した際に蓋等の一部が内側に突き出して残り、あるいは注ぎ口が容器の上縁と接してなく内側寄りにある為に内容物を取り出すのが一部困難です。この新しい缶容器は容器上縁内側と注ぎ口が接しているので、缶を開けた際に内側への出っ張り部分が無く、容易に内容物を取り出すことが出来る構造となります。更に蓋の縁全体に開缶用の切り込み線を入れて蓋全体を除去するフルオープン缶にすることも容易で、色々な種類の缶容器に対応が可能な構造となります。
【手続補正３】
【補正対象書類名】明細書
【補正対象項目名】０００５
【補正方法】変更
【補正の内容】
【０００５】  図１は、従来の缶ビール、缶ジュース等である。図の中の６は注ぎ口の先端、５が缶蓋縁の内側である。５と６の間に溝１２と、溝の立ち上がり１３があるために注ぎ口６と缶蓋縁の内側５が接するようにして、缶を開けることは絶対ではないが実質的には不可能に近い。仮に、溝の立ち上がり１３に注ぎ口６の先端を持ってきても、缶内側と溝の間に飲み残しが出てしまい、又、溝自体にも少量の中身が溜まってしまいます。したがって、飲み残しや飛散をゼロにすることは不可能に近い。
図２の、新しい形態の缶ビール、缶ジュース等では、缶蓋の中央部を盛り上げることによって缶蓋の強度を増やし注ぎ口６の先端が缶蓋縁の内側５と接する構造とした。この構造によって缶の蓋開け部８を、従来よりも長くしてテコの原理により缶を開けるのが容易となるようにした。又、缶本体に溝２を設けることで、缶を開ける際の圧力を受け止め、缶自体の補強とした。この構造によって缶ビール、缶ジュース等からコップなどに注ぐ際の飛散や、直に口から飲む際の飲み残しが、ほとんどゼロになる。
【手続補正書】
【提出日】平成18年11月20日(2006.11.20)
【手続補正１】
【補正対象書類名】特許請求の範囲
【補正対象項目名】請求項１
【補正方法】変更
【補正の内容】
【請求項１】
缶ビール等、食料缶等の注ぎ口と縁が接する構造のプルトップ型缶容器
【手続補正３】
【補正対象書類名】明細書
【補正対象項目名】０００１
【補正方法】変更
【補正の内容】
【０００１】  この発明は缶ビール等、食料缶等において注ぎ口が縁と接することができるようにする為のプルトップ型缶容器の開発の為のものである。
【手続補正４】
【補正対象書類名】明細書
【補正対象項目名】０００２
【補正方法】変更
【補正の内容】
【０００２】  各家庭でビールを飲む時、現在は瓶ビールに取って代わって缶ビールが主体となっている。現在の缶ビール等では注ぎ口が缶蓋の縁から７ｍｍ前後、中央よりとなっているためにコップ等に注ぐ時、特に中身が少なくなるにつれて、飛散することが多々あり周囲のものを汚染してしまうことがあります。又、直に口から飲むときにはかなり無理をしないと飲み残しが発生します。この飲み残しを放置しておくと有害な昆虫や病原菌などの発生あるいは悪臭など、衛生上にも悪影響を及ぼします。
缶ビール等、食料缶等の注ぎ口が縁と接することが出来るようにすれば問題は解決するのであるが、現在使用されている缶の構造では非常に困難で不可能に近い。
そこで、缶ビール等の注ぎ口が縁と接することが、容易にできるようなプルトップ型缶容器の胴体部と蓋部の開発を、問題解決の課題とした。
【手続補正５】
【補正対象書類名】明細書
【補正対象項目名】０００３
【補正方法】変更
【補正の内容】
【０００３】  現在使用されている缶ビール等、食料缶等のプルトップ型缶容器に、変更を加えた構造の胴体部及び蓋部の開発によって缶ビール等、食料缶等の注ぎ口が縁と接することが出来るようにして、解決の手段とした。
【手続補正６】
【補正対象書類名】明細書
【補正対象項目名】０００４
【補正方法】変更
【補正の内容】
【０００４】  この新しい構造の缶ビール等、食料缶等を利用することによって飛散による汚染や飲み残しが少なくなり環境衛生にも良い効果をもたらす。従来の缶ビール等の構造では注ぎ口が縁と接するようにするのは非常に困難で、産業としてはコスト的に不可能に近い。この新しい構造の缶容器は注ぎ口が縁と接する新しい製品として、経済産業に貢献できる。又、全世界で利用される製品であり効果は多大である。
【手続補正７】
【補正対象書類名】明細書
【補正対象項目名】０００５
【補正方法】変更
【補正の内容】
【０００５】  図１は、従来の缶ビール、缶ジュース等である。図の中の６は注ぎ口の先端、５が缶蓋縁の内側である。５と６の間に溝１２と、溝の立ち上がり１３があるために注ぎ口６と缶蓋縁の内側５が接するようにして、缶を開けることは絶対ではないが実質的には不可能に近い。仮に、溝の立ち上がり１３に注ぎ口６の先端を持ってきても、缶内側と溝の間に飲み残しが出てしまい、又、溝自体にも少量の中身が溜まってしまいます。したがって、飲み残しや飛散をゼロにすることは不可能に近い。
図２の、新しい形態の缶ビール、缶ジュース等では、缶蓋の中央部を盛り上げることによって缶蓋の強度を増やし注ぎ口６の先端が缶蓋縁の内側５と接する構造とした。この構造によって缶の蓋開け部８を、従来よりも長くしてテコの原理により缶を開けるのが容易となるようにした。又、缶本体に溝２を設けることで、缶を開ける際の圧力を受け止め、缶自体の補強とした。この構造によって缶ビール、缶ジュース等からコップなどに注ぐ際の飛散や、直に口から飲む際の飲み残しがほとんどゼロになる。
【手続補正８】
【補正対象書類名】明細書
【補正対象項目名】０００６
【補正方法】変更
【補正の内容】
【０００６】  従来の缶ビール等の構造のままでは、注ぎ口の先端が縁と接するようにするのは技術的に非常に困難でコスト的に見ても、産業上の利用は不可能に近い。この新しい構造の缶容器によって、注ぎ口と縁が接する新しい構造の缶ビール等となりコップ等に注ぐ際の飛散や飲み残しがほとんどゼロの飲料缶や、中身の取出し易いマグロの缶詰などの食料缶等が容易に製造できることとなり、産業界の発展に多大な貢献をなすものである。又、缶を開けた際に少量でも残量があると困るような、危険な液体や、薬液等の容器としても利用可能であり、その効果は多大である。
【手続補正９】
【補正対象書類名】明細書
【補正対象項目名】０００７
【補正方法】変更
【補正の内容】
【０００７】
【図１】従来の缶の側面図
【図２】新しい形態の缶の側面図
【図３】従来の缶の蓋部の平面図
【図４】新しい形態の缶の蓋部の平面図
【図５】新しい形態の缶の胴体部と蓋部の縁の接合部分の拡大図
【手続補正１０】
【補正対象書類名】明細書
【補正対象項目名】０００８
【補正方法】変更
【補正の内容】
【０００８】  １は缶の外側
２は新しい形態の缶を開ける際の胴体部の圧力受け溝
３は蓋部の上縁
４は蓋部の上縁外側
５は蓋部の上縁内側
６は注ぎ口先端部
７は蓋部
８は缶開け部
９は新しい形態の缶の蓋部の缶開け先端部
１０は蓋部中央
１１は缶開けツマミ
１２は従来の缶の蓋部の縁溝
１３は従来の缶の蓋部の縁溝の立ち上がり